(57)【特許請求の範囲】
【請求項１】
レバーあるいはノブ等に構成した締まり金物を構成する座金、裏座金の双方に、互いに摺動させることにより位置合わせ可能にした差圧解消用の透孔部を設け、
前記座金あるいは前記裏座金のうち扉等の開閉部材に固定した方の透孔部は、前記開閉部材に設けた前記締まり金物の取り付け用の貫通孔に位置合わせさせられ、
前記座金あるいは前記裏座金のうち前記開閉部材に固定しない方の透孔部は、前記締まり金物の前記開閉部材を開ける際の動きに連動させて、前記座金あるいは前記裏座金のうち前記開閉部材に固定した方の透孔部に位置合わせさせられ、
前記締まり金物で前記開閉部材を開けるときに差圧解消が行えることを特徴とする差圧調整部材。
【請求項２】
扉等の開閉部材には、レバーあるいはノブ等に構成した締まり金物が、前記締まり金物の取り付け用の貫通孔に設けられ、
前記締まり金物を構成する座金、裏座金の双方には、互いに摺動させることにより位置合わせ可能に設けられた差圧解消用の透孔部が設けられ、
前記座金あるいは前記裏座金のうち前記開閉部材に固定した方の透孔部は、前記貫通孔に位置合わせさせられ、
前記座金あるいは前記裏座金のうち前記開閉部材に固定しない方の透孔部は、前記締まり金物の前記開閉部材を開ける際の動きに連動させて、前記座金あるいは前記裏座金のうち前記開閉部材に固定した方の透孔部に位置合わせさせられ、
前記締まり金物で前記開閉部材を開けるときに差圧解消ができることを特徴とする差圧調整開閉部材。
【発明の詳細な説明】
【０００１】
【発明の属する技術分野】
本発明は、圧力差のある空間を仕切る扉などの開閉部材の開け閉めが容易にできるような差圧調整部材に関する。
【０００２】
【従来の技術】
建築物は、その扉などにより壁などで仕切られた空間を、必要に応じて行き来できるように構成されている。
【０００３】
近年、外部の騒音や、隣室の生活音などが聴こえないように、さらには空調効果の向上などを意識して、気密性の高い建築物が多数施工されている。
【０００４】
壁などで囲まれた空間の気密性を高くすることにより、確かに騒音などを聴こえないようにしたり、あるいは冷暖房などが効くようにすることはできるが、反面外気の自然導入が行われず、強制換気などで室内空気の入替えを意識的に行う必要がある。
【０００５】
しかし、強制換気や空調を行うと、かかる空間の内外でどうしても圧力差が発生する。例えば、図１１に示すように、キッチン１と居間２とが気密性よく仕切られている場合を想定する。室内ドア３の開閉によりキッチン１と居間２とは行き来できるが、室内ドア３を閉じた状態で、キッチン１から例えばレンジフード４を使用して魚焼きの煙などを強制排気すると、キッチン１内は居間２側より負圧になってしまう。
【０００６】
居間２側から室内ドア３を開けるに際しては、室内ドア３がキッチン１側に引っ張られるような感じで開けづらくなる。
【０００７】
また、キッチン１や居間２などの窓を締め切った状態で、室内ドア３を開けたままレンジフード４で強制排気すると、今度は建物全体が外部より負圧状態になり、玄関ドア５が外側から開けづらくなる。
【０００８】
かかる差圧障害に対しては、従来は、図１２（ａ）、（ｂ）に示すように、予め扉６にドアガラリ７を設けて通気可能にしておき、差圧が発生しないようにしている。
【０００９】
あるいは、ドアガラリ７に代えて、図１３に示すように、扉６の床に近い下端側を床面に沿って隙間が開くようにアンダーカット８を設けておき、常に空気の流通ができるようにしておき、負圧にならないような配慮がなされている。
【００１０】
【発明が解決しようとする課題】
しかし、かかるドアガラリやアンダーカットを扉に設けたのでは、その他の構造部分を折角気密性にしても、例えばキッチンの煮炊きの匂いが居室側に流れたり、あるいは騒音が漏れたりなどして高気密性にした意味が薄れる。
【００１１】
また、上記従来構成のドアガラリやアンダーカットは、予め扉自体に加工を施しておく必要があり、取付け後の扉に後加工できるものではない。
【００１２】
従って、建築計画の時点で既にドアガラリやアンダーカット等の加工を施した扉の導入決定をしておく必要がある。建物の竣工後には、基本的にはかかる構成を扉に後施工できるものではない。どうしても必要な場合には、扉ごとそっくり取り替える必要がある。
【００１３】
竣工後にかかる問題点に気づく場合も往々にしてあり、扉ごと交換するのでは、余りにも取替え費用がかかりすぎて止むなくそのまま差圧障害を我慢して使用している場合も多い。
【００１４】
また、交換するにしても、十分に使用できる扉を交換すること自体不経済でもあり、決して好ましい対応ではない。
【００１５】
扉自体に加工を施すことなく、差圧調節できる技術の開発が望まれている。本発明者は、ドア取っ手などのいわゆる締まり金物は、扉の構成でも必要に応じて、扉になんらの加工を施すことなく交換している事実に着目して、かかる締まり金物自体に差圧調整機構を取り付けられないかと考えた。
【００１６】
さらに、かかる差圧障害は、扉の開閉時にのみ生ずる問題ではなく、種々の面で遭遇することであり、かかる扉以外の差圧障害にも対応できる機構であることが望ましいと考えた。
【００１７】
本発明の目的は、開閉部材の開閉手段側に差圧調整機能を設けられるようにすることにある。
【００１８】
本発明の目的は、扉に後施工できる締まり金物に差圧調整機能を持たせることができるようにすることにある。
【００１９】
本発明の前記ならびにその他の目的と新規な特徴は、本明細書の記述および添付図面から明らかになるであろう。
【００２０】
【課題を解決するための手段】
本願において開示される発明のうち、代表的なものの概要を簡単に説明すれば、以下のとおりである。
【００２１】
すなわち、本発明では、圧力差のある空間を隔てる扉などの開閉部材に予め設けられている締まり金物などの開閉手段の取付け用貫通孔に、位置合わせができるような透孔部を開閉手段である締まり金物側に設けておき、締まり金物で扉を開けるときに透孔部を貫通孔に位置合わせして差圧解消を行い、扉を開けやすくしたものである。
【００２２】
開閉手段としての締まり金物に上記差圧解消用の透孔部を設けるに際しては、例えば、締まり金物を構成する座金、裏座金の双方に差圧解消用の透孔部を設けておく。かかる構成の座金と裏座金とを互いの透孔部の位置合わせ可能に摺動できるように重ね合わせ、さらに座金、裏座金の何れか一方をレバーやノブなどのいわゆる取っ手と連動するように構成しておく。
【００２３】
また、上記取っ手と連動しない側の座金、あるいは裏座金の透孔部は、扉に設けた締まり金物の取付け用の貫通孔に位置合わせして扉側に固定しておく。
【００２４】
かかる構成により取っ手を回して扉を開ける際に、座金、裏座金のいずれか一方が回転して、扉に設けた貫通孔と連通させた座金（あるいは裏座金）の透孔部に、取っ手と連動する裏座金（あるいは座金）の透孔部とが位置合わせされ、扉に隔てられていた圧力差のある空間がかかる貫通孔、透孔部を介して連通され差圧解消が図れる。
【００２５】
取っ手を回さない限り、裏座金と座金の透孔部は位置合わせされないので、両空間は連通されず両空間の気密性が保たれる。
【００２６】
なお、上記「締まり金物」、「座金」、「裏座金」という用語は、必ずしも金属製である必要はなく、同様の機能を有する物で、金属以外の素材で作られたものをも意味するものである。
【００２７】
また、扉以外にも、例えば開閉部材には吸い物碗の蓋など考えることができる。冷めないように熱い吸い物を入れた吸い物碗に蓋をしておくと、碗内の吸い物の温度が下がって、碗内と碗外とで圧力差が生じて、蓋の頂部に付いている摘みを持っても蓋が開かない場合が多々ある。かかる摘みを開閉手段とみなし、蓋を開閉部材とみなして上記差圧調整用の構成を適用することもできる。
【００２８】
例えば、碗蓋を摺動可能な二重蓋状に構成しておき、摘みの回転により二重蓋の内側の蓋を回転させて、二重蓋のそれぞれに設けた透孔部を合わせれば、差圧解消が簡単にでき、吸い物の中身をこぼさずに蓋をあけることができる。
【００２９】
【発明の実施の形態】
以下、本発明の実施の形態を図面に基づいて詳細に説明する。
【００３０】
（実施の形態１）
本実施の形態では、差圧調整部材１０は、図１に示すように、開閉部材２０の開閉手段である締まり金物１０ａに構成されている。
【００３１】
本実施の形態では、開閉部材２０は、隣接する居室を気密性よく仕切る壁に、両空間を行き来できるように設ける扉２０ａに形成されている。扉２０ａ（２０）は、一枚構成の略矩形板状に形成され、気密性よく仕切られた空間の一方側に、あるいは両方側に開閉できるように、蝶番などで取り付けられている。
【００３２】
かかる扉２０ａには、図２に示すように、締まり金物１０ａの取付け用の貫通孔３０が設けられている。かかる貫通孔３０は、従来構成の箱錠や円筒錠などの取付け用に予め設定されている構成をそのまま使用すればよい。本実施の形態では、貫通孔３０は断面円形に構成したが、従来構成の略菱形に構成したものでも構わない。
【００３３】
本実施の形態で使用する締まり金物１０ａは、レバー式に構成されている。締まり金物１０ａは、図２、３に示すように、裏座金４０と座金５０、および座金５０に設けたレバー６０とから構成されている。
【００３４】
裏座金４０は、図２に示すように薄い円板状に形成され、周縁側に設けた３個のネジ孔４１からさらネジを入れて、扉２０ａ面にねじ止めにより取付け固定できるようになっている。
【００３５】
また裏座金４０の中心部には、レバー６０を回すことにより座金５０が回転できるように設けた回転軸部材７０を通す貫通孔４２が設けられている。かかる回転軸部材７０の前記貫通孔３０内に入る部分には、図示を省略したが、レバー６０を回すことにより回転させられて、ラッチボルト７１を引っ込ませて扉２０ａの開閉が行えるようになっている。
【００３６】
また、裏座金４０の中心より鉛直下方側に、差圧調整用の透孔部４３が設けられている。透孔部４３は、本実施の形態では、貫通孔３０より小さい断面円形の貫通孔に形成されている。透孔部４３の開口位置は、図３に示すように、裏座金４０を、扉２０ａの貫通孔３０の開口面を塞ぐように中心合わせに上記要領でネジ止めしたときに、貫通孔３０の開口範囲内に透孔部４３の開口範囲が入るように構成すればよい。
【００３７】
そのため、裏座金４０を扉２０ａに固定した状態では、常に透孔部４３は扉２０ａに設けた貫通孔３０と連通状態にされることとなる。
【００３８】
一方、座金５０は、裏座金４０の表面側をカバーするような略円形の蓋状に構成され、座金５０の表面部分から一体にレバー６０が設けられている。略円形の蓋状に構成された座金５０の裏側の側壁部の内周面には、本実施の形態では、断面半円形の溝５１が設けられている。
【００３９】
裏座金４０の円周端面に設けた断面半円形の凸部４４に、上記溝５１を嵌め込んで、座金５０を裏座金４０から外れないようにしながら回転させることができるようになっている。座金５０の回転は、レバー６０の回転角度分回転させることができればよい。
【００４０】
本実施の形態では、レバー６０はバネ機構により回転させた状態で手を離すと、自然に元の位置に戻るように構成されている。扉２０ａを締めている状態では、レバー６０は、図１（ａ）、図４（ａ）に示すように、水平方向に伸ばされており、扉２０ａを開けるときには、図４（ｂ）に示すように、中心角度４５度下方に止まるまで回転させるように構成されている。
【００４１】
このレバー６０の下方への回転に合わせて、図２に示すラッチボルト７１は引っ込むように構成されている。また、本実施の形態では、ラッチボルト７１の上方にシリンダー錠（図示せず）用のデッドボルト７１ａが設けられているが、特段施錠を必要としない場合には、かかるシリンダー錠などの構成はなくても構わない。
【００４２】
一方、座金５０の裏座金４０の円形表面と摺動する円形板状部分５２には、貫通孔として形成された透孔部５３が設けられている。透孔部５３の開口面の大きさは、本実施の形態では、裏座金４０に開けた透孔部４３の開口面と同じ大きさに設定されている。
【００４３】
透孔部４３と透孔部５３との開口面の大きさは、透孔部４３、５３同士を位置合わせした状態で通気が行われ、差圧解消ができる程度に設定しておけばよい。
【００４４】
また、透孔部５３の開口位置は、レバー６０を前記要領で水平位置から下方へ中心角度４５度回転させたときに、透孔部４３と開口面が丁度位置合わせできる位置に設けておけばよい。本実施の形態では、図４（ａ）に示すように、座金５０の回転中心からの水平位置を基準として、その水平位置から中心角度４５度下方にずらした位置に開口させられている。
【００４５】
このようにして構成された締まり金物１０ａの扉２０ａへの取付けは、以下のようにして行えばよい。
【００４６】
扉２０ａの貫通孔３０を塞ぐように、前記要領で裏座金４０をネジ止めにより取付け固定する。裏座金４０の扉２０ａへの取付けは、扉２０ａの両面で行う。
【００４７】
このようにして扉２０ａに取り付けた裏座金４０に、回転軸部材７０を有する座金５０を取り付ける。座金５０の裏座金４０への取付けに際しては、座金５０の裏側を、扉２０ａに固定した裏座金４０の表面側に少し強く押し付けて、座金５０の側壁内周面の溝５１に、裏座金４０の凸部４４を嵌めればよい。
【００４８】
このようにして、扉２０ａの一方の面に裏座金４０とともに座金５０を取付け、図３に示すように、扉２０ａの反対側の面に抜けた回転軸部材７０の端部７２を、別の座金５０’の裏側に取り付ければよい。
【００４９】
座金５０’は、図５に示すように、その裏側面に回転軸部材７０の端部７２と丁度嵌め合わせ可能な嵌合凹部５４が設けられている。また、座金５０’の表面側には座金５０と同様にレバー６０が設けられている。但し、レバー６０の水平取付け方向が、座金５０と反対方向に向けて設けられている。座金５０’の透孔部５３も、座金５０における場合とは逆方向に設けられている。
【００５０】
本実施の形態では、回転軸部材７０の端部７２は断面四角の角形に構成されており、嵌合凹部５４も角形凹部に形成されている。角形の端部７２を座金５０’の中心位置の嵌合凹部５４に嵌め合わせした状態で、座金５０’を扉２０ａに固定した裏座金４０に前記要領で押し付けて、溝５１と凸部４４とを嵌め合わせればよい。座金５０’と裏座金４０とは、互いに外れないように摺動可能に取り付けることができる。
【００５１】
このようにして扉２０ａの両面に設けられた締まり金物１０ａのレバー６０を下方に中心角度４５度回転させることにより、扉２０ａに設けた貫通孔３０に透孔部４３を位置合わせして固定されている裏座金４０に摺動可能に設けた座金５０、５０’の透孔部５３を位置合わせして、扉２０ａで隔てられている空間を連通させて差圧を解消することができる。
【００５２】
本実施の形態の締まり金物１０ａは、例えば、図６に示すように、空調機１００、リターンガラリ１１０などを設けて、負圧になりやすい空調機室１２０の出入り用の扉１３０に適用すれば、従来より開けにくい扉１３０を、開口時に差圧調整させて楽に開けることができる。
【００５３】
また、上記説明では、裏座金４０、座金５０には、それぞれ断面円形の透孔部４３、５３を一つずつ設けた構成について説明したが、図７に示すように、透孔部４３、５３を複数設けるようにして構わない。図７では、断面花びら型にデザインした透孔部４３（破線表示）、５３（実線表示）が設けられている。
【００５４】
透孔部４３、５３が複数設けられているため、その分差圧解消のため通気させる通気断面積が大きくなり、差圧が大きい場合でも容易に差圧解消が行える。
【００５５】
図７に示す構成を使用するに際しては、扉２０ａに設ける貫通孔３０の開口面を、略花びら型透孔部４３などの口径に合わせるようにすればよい。かかる構成では、レバー６０を３０度回転させれば、透孔部４３、５３の位置合わせができることとなる。
【００５６】
透孔部４３と透孔部５３とは、前記説明では、位相を中心角で４５度、あるいは３０度ずらして設けるようにしたが、かかる両透孔部４３、５３の取付け位置はその他の角度に設定しても構わない。
【００５７】
また、透孔部４３、５３の形状も、自由に設定して構わない。要は、差圧解消が行える程度の通気断面積を確保できればその形状は問わない。
【００５８】
さらに、締まり金物１０ａの寸法などの規格を、従来構成の締まり金物の規格と合わせておけば、従来構成の締まり金物を本発明の差圧調整部材１０に交換することができる。
【００５９】
（実施の形態２）
上記実施の形態では、裏座金４０を固定させて、座金５０をレバー６０とともに回転できるように構成したが、図８に示すように、逆に座金５０をネジ止めなどで扉２０ａに固定して、裏座金４０を回転させるように構成しても構わない。
【００６０】
また、本実施の形態では、レバー６０に代えてノブ８０を使用した。その他の構成は、上記実施の形態１と同様にして行った。
【００６１】
裏座金４０、座金５０、５０’はともに円形板状に形成しておき、裏座金４０の円周面に設けた断面半円状の凸部４４に、座金５０の側面内周面に設けた断面半円形の溝５１を外れないように当初より嵌め合わせて組み付けておく。
【００６２】
また、座金５０の裏側には、上記実施の形態１と同様に回転軸部材７０が、扉２０ａの反対側に少し突き出すように設けられ、その端部７２は角形に形成されている。
【００６３】
座金５０を設けたと反対側の扉２０ａの面に設ける座金５０’の裏側には、上記回転軸部材７０の端部７２と丁度嵌合できるように構成した嵌合凹部５４が設けられている。このようにして、扉２０ａの一方の側のノブ８０を回転させると、扉２０ａの両面側の裏座金４０、扉２０ａの他方の面のノブ８０が回転するように構成されている。
【００６４】
また、裏座金４０に透孔部４３が設けられ、座金５０、５０’の両方にそれぞれ透孔部５３が設けられている。座金５０、５０’に設けた透孔部５３は、本実施の形態では、ノブ８０の中心より鉛直下方に断面円形の貫通孔に形成した。
【００６５】
ノブ８０とともに回転する裏座金４０では、透孔部４３はノブ８０を回転させない状態で上記実施の形態１と同じ要領で、ノブ８０の軸中心の水平位置から中心角度４５度下方位置に、断面円形の貫通孔として形成されている。
【００６６】
図８では、扉２０ａの両面に固定された座金５０、５０’の透孔部５３に、ノブ８０を回して裏座金４０を回転させ、透孔部４３を位置合わせして、扉２０ａで隔てられた空間の圧力差を解消させている状態を示している。
【００６７】
なお、上記実施の形態１、２で使用した締まり金物１０ａ、裏座金４０、座金５０、５０’は、必ずしも金属製である必要はなく、強化プラスチック製などのように金属以外の素材で形成されたもので構わない。
【００６８】
（実施の形態３）
本実施の形態では、扉２０ａ面に、座金５０を直接摺動可能に構成した場合について説明する。
【００６９】
かかる構成では、図９に示すように、座金５０の周囲にリング状に囲んだ取付座５５を設けて、この取付座５５により扉２０ａに座金５０を取り付けるようにすればよい。
【００７０】
座金５０は、座金５０の側壁円周に沿って設けた凸部５６を、この取付座５５のリング内周に沿って設けた溝５７に回転可能に嵌合させるようにしておけばよい。
【００７１】
また、座金５０には、前記実施の形態１と同様に、透孔部５３を設けておき、ハンドル６０を中心角４５度下方に回転させることにより、透孔部５３が回転して扉２０ａに設けた貫通孔３１に孔位置が合わせられるように構成しておけばよい。
【００７２】
本実施の形態では、扉２０ａには、前記実施の形態とは異なり、２本の貫通孔３０、３１が設けられ、貫通孔３０には前記実施の形態と同様に回転軸部材７０が通されている。貫通孔３１は、貫通孔３０の鉛直下方に、透孔部５３と同じ開口面積の断面円形の貫通孔に形成されている。
【００７３】
また、扉２０ａの他方の面側に設ける座金５０’の裏側には、回転軸部材７０の端部７２の嵌合可能な角形の嵌合凹部５４を設けて、前記実施の形態１と同様にして回転軸部材７０と座金５０’とを連結すればよい。
【００７４】
このように構成することにより、レバー６０を下方に４５度回転させると、取付座５５の内側の座金５０、５０’が回転して、透孔部５３が貫通孔３１と位置合わせさせられ、差圧解消が行われることとなる。
【００７５】
なお、上記実施の形態１、２で使用した締まり金物１０ａ、裏座金４０、座金５０、５０’は、必ずしも金属製である必要はなく、強化プラスチック製などのように金属以外の素材で形成されたもので構わない。
【００７６】
また、上記実施の形態１、２では、裏座金４０、座金５０、５０’をそれぞれ１枚構成としたが、複数枚構成にしても構わない。
【００７７】
以上、本発明者によってなされた発明を実施の形態に基づき具体的に説明したが、本発明は前記の形態に限定されるものではなく、その要旨を逸脱しない範囲で種々変更可能であることはいうまでもない。
【００７８】
また、以上の説明では主として本発明者によってなされた発明をその利用分野である扉などの開閉部材の締まり金物などに適用した場合について説明したが、差圧調整が必要とされる例えば吸い物碗の蓋についても適用できる。
【００７９】
例えば、吸い物碗の蓋２００を開閉部材にみたて、蓋２００に付いている摘み３００を開閉手段にみたてて、前記実施の形態で説明した差圧調整部材の構成を適用させることができる。
【００８０】
蓋２００は、図１０（ａ）に示すように、二重蓋に構成されている。外蓋２００ａ（２００）と、内蓋２００ｂ（２００）（破線表示）とが摘み３００で摺動可能に構成されている。
【００８１】
内蓋２００ｂは摘み３００と一体に構成され、外蓋２００ａの頂部に開けた円形開口から摘み３００が外側に出されている。外蓋２００ａの内側周面には、外蓋２００ａの内周面の曲率に合わせた形状で、図１０（ｂ）に示すように、リング状にガイド４００が設けられている。
【００８２】
かかるガイド４００に、内蓋２００ｂの外周端２２０が回転可能に嵌合させられている。内蓋２００ｂは、その外周端２２０でガイド４００により外れないように支えられ、且つ摘み３００で内蓋２００ｂを回転させることができるようになっている。
【００８３】
外蓋２００ａ、内蓋２００ｂには、それぞれ円周に沿って長孔２１０ａ、２１０ｂがそれぞれ開けられている。摘み３００を回転させることにより、長孔２１０ａ、２１０ｂの位置合わせを行うことにより、碗内と碗外との差圧調整を行うことができる。
【００８４】
【発明の効果】
本願において開示される発明のうち、代表的なものによって得られる効果を簡単に説明すれば、以下のとおりである。
【００８５】
（１）．本発明では、開閉手段に設けた透孔部を、開閉部材に設けた貫通孔に位置合わせして差圧解消を行うように構成しているので、開閉時の差圧調整が容易に行える。
【００８６】
（２）．本発明では、開閉部材に設けた貫通孔に、開閉手段に設けた透孔部を開口操作に合わせて位置合わせできるように構成したので、開閉部材の開口時に別途差圧調整操作を行わなくても、自ずから差圧調整が行われて楽に開閉部材を開けることができる。
【００８７】
（３）．本発明では、差圧調整部材が締まり金物に構成されているため、扉に設けた従来構成の締まり金物と交換でき、特段扉側に後加工を施すことなく、差圧調整機構を後施工で扉に設けることができる。
【図面の簡単な説明】
【図１】（ａ）は、本発明の一実施の形態の差圧調整部材を取り付けた扉の正面図である。（ｂ）は、（ａ）の扉の端面図である。
【図２】一実施の形態の差圧調整部材の構成を示す組立斜視図である。
【図３】図１に示す差圧調整部材の扉への取付け状況を示す断面図である。
【図４】（ａ）は、扉を閉じた状態での差圧調整部材の正面図である。（ｂ）は、扉を開ける際の差圧調整が行われる状態での差圧調整部材の正面図である。
【図５】扉の一方の面に設ける座金の裏側を示した斜視図である。
【図６】差圧調整部材の適用例を示す説明図である。
【図７】差圧調整部材の透孔部の変形例を示す正面図である。
【図８】変形例の差圧調整部材を扉に取付けた状態を示す縦断面図である。
【図９】変形例の差圧調整部材を扉に取付けた状態を示す縦断面図である。
【図１０】（ａ）は、差圧調整部材を吸い物碗の蓋に適用させた状態を示す斜視図である。（ｂ）は、（ａ）の差圧調製部材の構成を示す断面図である。
【図１１】従来の負圧により扉が開きにくい状況を示す説明図である。
【図１２】（ａ）、（ｂ）は、従来構成のドアガラリを示す扉の正面図である。
【図１３】従来構成のアンダーカットを示す斜視図である。
【符号の説明】
１        キッチン
２        居間
３        室内ドア
４        キッチンレンジ
５        玄関ドア
６        扉
７        ドアガラリ
８        アンダーカット
１０      差圧調整部材
１０ａ    締まり金物
２０      開閉部材
２０ａ    扉
３０      貫通孔
３１      貫通孔
４０      裏座金
４１      ネジ孔
４２      貫通孔
４３      透孔部
４４      凸部
５０      座金
５０’    座金
５１      溝
５２      円形板状部分
５３      透孔部
５４      嵌合凹部
５５      取付座
５６      凸部
５７      溝
６０      レバー
７０      回転軸部材
７１      ラッチボルト
７１ａ    デッドボルト
７２      端部
８０      ノブ
１００    空調機
１１０    リターンガラリ
１２０    空調機室
１３０    扉
２００    蓋
２００ａ  外蓋
２００ｂ  内蓋
２１０ａ  長孔
２１０ｂ  長孔
２２０    外周端
３００    摘み
４００    ガイド
【図１】
0003853495.tif 000002
【図２】
0003853495.tif 000003
【図３】
0003853495.tif 000004
【図４】
0003853495.tif 000005
【図５】
0003853495.tif 000006
【図６】
0003853495.tif 000007
【図７】
0003853495.tif 000008
【図８】
0003853495.tif 000009
【図９】
0003853495.tif 000010
【図１０】
0003853495.tif 000011
【図１１】
0003853495.tif 000012
【図１２】
0003853495.tif 000013
【図１３】
0003853495.tif 000014